Podtech/llm-jp-corpus-v4-ja_patent huggingface dataset:
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
回転部材の外周面に、堆積しているリントを捕集する捕集部材を装着又は巻装し、前記回転部材と共に捕集部材をリントに押圧しながら回動し、リントを捕集部材に層状に巻き付けて捕集することを特徴とするリントの清掃方法。
【請求項２】
通気孔を有する回転部材の外周面に、堆積しているリントを捕集する捕集部材を装着又は巻装し、前記回転部材と共に捕集部材をリントに押圧しながら回動し、リントを捕集部材に層状に巻き付けて捕集するとともに、前記回転部材の内方から吸引を行い、リントの飛散を防止することを特徴とするリントの清掃方法。
【請求項３】
回転部材と捕集部材の間に、袋状網体を配置し、捕集部材でリントを層状に捕集した後、前記袋状網体を回転部材から反転させながら取り外すことにより、捕集部材と捕集したリントを袋状網体内に包み込むことを特徴とするリントの清掃方法。
【請求項４】
捕集部材がリントと絡み合う性質を有する不織布、面ファスナー、パイル織物又は粘着シート等のシート状素材からなることを特徴とする請求項１乃至３に記載のリントの清掃方法。
【請求項５】
捕集部材が複数のブラシ毛材を有するブラシ体からなることを特徴とする請求項１又は２に記載のリントの清掃方法。
【請求項６】
捕集部材の外表面に袋状網体を配置し、リントを層状に捕集した後、前記袋状網体を回転部材から反転させながら取り外すことにより、捕集したリントを袋状網体内に包み込むことを特徴とする請求項５に記載のリントの清掃方法。
【請求項７】
先端側に吸引口と基端側に排気口を有する中空パイプからなる操作ハンドルに、該操作ハンドルの先端側を芯軸として、通気孔を有する回転部材を回転自在に取り付け、該回転部材の外周面に、堆積しているリントを層状に捕集する捕集部材を装着又は巻装したことを特徴とするリントの清掃器具。
【請求項８】
捕集部材を装着又は巻装した通気孔を有する回転部材に、操作ハンドルを連結して前記回転部材を回転自在に支持すると共に、操作ハンドル又は回転部材に吸引パイプを接続して吸引を行うようにしたことを特徴とするリントの清掃器具。
【請求項９】
回転部材と捕集部材との間に袋状網体を配置したことを特徴とする請求項７又は８に記載のリントの清掃器具。
【請求項１０】
捕集部材がリントと絡み合う性質を有する不織布、面ファスナー、パイル織物又は粘着シート等のシート状素材からなることを特徴とする請求項７乃至９のいずれかに記載のリントの清掃器具。
【請求項１１】
粘着シートからなる捕集部材が、筒状に作成され、回転部材の外周面に挿着されていることを特徴とする請求項１０記載のリントの清掃器具。
【請求項１２】
先端側に吸引口と基端側に排気口を有する中空パイプからなる操作ハンドルに、該操作ハンドルの先端側を芯軸として、通気孔を有する回転部材を回転自在に取り付け、該回転部材の外周面に複数のブラシ毛材を有するブラシ体を巻装し、該ブラシ体の外周面に袋状網体を被覆したことを特徴とするリントの清掃器具。    
【手続補正２】
【補正対象書類名】明細書
【補正対象項目名】０００９
【補正方法】変更
【補正の内容】
【０００９】
また、捕集部材がリントと絡み合う性質を有する不織布、面ファスナー、パイル織物又は粘着シート等のシート状素材からなることを特徴とし、また、捕集部材が複数のブラシ毛材を有するブラシ体からなることを特徴とする。粘着シートからなる捕集部材は、筒状に作成され、回転部材の外周面に挿着するようにしても良い。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
背部を視認可能な板状部材によって形成される遊技盤と、該遊技盤の前面に形成され、遊技球が打ち込まれて転動する遊技領域と、所定の演出表示を実行する表示装置と、を備える遊技機において、
前記表示装置を遊技盤の後面側に遊技盤から所定間隔を空けて配置し、
前記遊技盤の後面と前記表示装置との間隔内に設けられ、立体的な装飾が施される中間装飾部材と、
前記遊技盤の前面側に設けられる前装飾部材と、を備え、
前記遊技領域のうち前記表示装置の前方領域以外の遊技領域の略全域を、前記中間装飾部材と前記前装飾部材とのいずれかで装飾し、
前記前装飾部材は、
遊技球が入賞可能な入賞領域を形成する入賞領域形成部材と、
前記表示装置の前方領域への遊技球の進入を規制する規制部材と、を含み、
前記中間装飾部材は、
背部を視認可能に形成され、後面側に前記表示装置を配置する表示領域と、
前記遊技領域を装飾する装飾領域と、
該装飾領域に形成され、前記入賞領域形成部材に近接または当接して前記入賞領域に入賞した遊技球を排出する排出経路と、を有することを特徴とする遊技機。
【請求項２】
前記中間装飾部材は、前記表示領域の外周縁から前方へ延出して前記規制部材に近接または当接し、前記表示領域と前記装飾領域とを区画する区画領域をさらに含むことを特徴とする請求項１記載の遊技機。
【請求項３】
前記規制部材は、前記表示領域の外周縁に近接または当接し、前記表示領域と前記装飾領域とを区画することを特徴とする請求項１または請求項２に記載の遊技機。
【手続補正２】
【補正対象書類名】明細書
【補正対象項目名】０００１
【補正方法】変更
【補正の内容】
【０００１】
本発明は、背部を視認可能な板状部材によって形成される遊技盤と、該遊技盤の前面に形成され、遊技球が打ち込まれて転動する遊技領域と、所定の演出表示を実行する表示装置と、を備える遊技機に関するものである。
【手続補正３】
【補正対象書類名】明細書
【補正対象項目名】００１２
【補正方法】変更
【補正の内容】
【００１２】
（解決手段１）
背部を視認可能な板状部材によって形成される遊技盤と、該遊技盤の前面に形成され、遊技球が打ち込まれて転動する遊技領域と、所定の演出表示を実行する表示装置と、を備える遊技機において、前記表示装置を遊技盤の後面側に遊技盤から所定間隔を空けて配置し、前記遊技盤の後面と前記表示装置との間隔内に設けられ、立体的な装飾が施される中間装飾部材と、前記遊技盤の前面側に設けられる前装飾部材と、を備え、前記遊技領域のうち前記表示装置の前方領域以外の遊技領域の略全域を、前記中間装飾部材と前記前装飾部材とのいずれかで装飾し、前記前装飾部材は、遊技球が入賞可能な入賞領域を形成する入賞領域形成部材と、前記表示装置の前方領域への遊技球の進入を規制する規制部材と、を含み、前記中間装飾部材は、背部を視認可能に形成され、後面側に前記表示装置を配置する表示領域と、前記遊技領域を装飾する装飾領域と、該装飾領域に形成され、前記入賞領域形成部材に近接または当接して前記入賞領域に入賞した遊技球を排出する排出経路と、を有することを特徴とする遊技機。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
背部を視認可能な板状部材によって形成される遊技盤と、該遊技盤の前面に形成され、遊技球が打ち込まれて転動する遊技領域と、所定の演出表示を実行する表示装置と、を備える遊技機において、
前記表示装置を遊技盤の後面側に遊技盤から所定間隔を空けて配置し、
前記遊技盤の後面と前記表示装置との間隔内に設けられ、立体的な装飾が施される中間装飾部材と、
該中間装飾部材に近接または当接して設けられ、前記遊技盤の前面側に配置する前装飾部材と、を備え、
前記遊技領域のうち前記表示装置の前方領域以外の遊技領域の略全域を、前記中間装飾部材と前記前装飾部材とのいずれかで装飾し、
前記前装飾部材は、前記表示装置の前方領域への遊技球の進入を規制する規制部材を含み、
前記中間装飾部材は、
背部を視認可能に形成され、後面側に表示装置を配置する表示領域と、
該表示領域の周縁部から前記遊技領域の周縁部に向かって前記遊技盤の後面に近接するように形成され、前記遊技領域を装飾する装飾領域と、を含むことを特徴とする遊技機。
【請求項２】
前記中間装飾部材は、前記表示領域の外周縁から前方へ延出して前記規制部材に近接または当接し、前記表示領域と前記装飾領域とを区画する区画領域をさらに含み、前記装飾領域は、前記区画領域の周縁部から前記遊技領域の周縁部に向かって遊技盤の後面に近接するように形成されることを特徴とする請求項１記載の遊技機。
【請求項３】
前記規制部材は、前記表示領域の外周縁に近接または当接し、前記表示領域と前記装飾領域とを区画することを特徴とする請求項１または請求項２に記載の遊技機。
【手続補正２】
【補正対象書類名】明細書
【補正対象項目名】０００１
【補正方法】変更
【補正の内容】
【０００１】
本発明は、背部を視認可能な板状部材によって形成される遊技盤と、該遊技盤の前面に形成され、遊技球が打ち込まれて転動する遊技領域と、所定の演出表示を実行する表示装置と、を備える遊技機に関するものである。
【手続補正３】
【補正対象書類名】明細書
【補正対象項目名】０００８
【補正方法】変更
【補正の内容】
【０００８】
（解決手段１）
背部を視認可能な板状部材によって形成される遊技盤と、該遊技盤の前面に形成され、遊技球が打ち込まれて転動する遊技領域と、所定の演出表示を実行する表示装置と、を備える遊技機において、前記表示装置を遊技盤の後面側に遊技盤から所定間隔を空けて配置し、前記遊技盤の後面と前記表示装置との間隔内に設けられ、立体的な装飾が施される中間装飾部材と、該中間装飾部材に近接または当接して設けられ、前記遊技盤の前面側に配置する前装飾部材と、を備え、前記遊技領域のうち前記表示装置の前方領域以外の遊技領域の略全域を、前記中間装飾部材と前記前装飾部材とのいずれかで装飾し、前記前装飾部材は、前記表示装置の前方領域への遊技球の進入を規制する規制部材を含み、前記中間装飾部材は、背部を視認可能に形成され、後面側に表示装置を配置する表示領域と、該表示領域の周縁部から前記遊技領域の周縁部に向かって前記遊技盤の後面に近接するように形成され、前記遊技領域を装飾する装飾領域と、を含むことを特徴とする遊技機。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
背部を視認可能な板状部材によって形成される遊技盤と、該遊技盤の前面に形成され、遊技球が打ち込まれて転動する遊技領域と、所定の演出表示を実行する表示装置と、を備える遊技機において、
前記表示装置を遊技盤の後面側に遊技盤から所定間隔を空けて配置し、
前記遊技盤の後面と前記表示装置との間隔内に設けられ、立体的な装飾が施される中間装飾部材と、
前記遊技盤の前面側に設けられる前装飾部材と、を備え、
前記中間装飾部材は、
背部を視認可能に形成され、後面側に前記表示装置を配置する表示領域と、
前記遊技領域を装飾する装飾領域と、を含み、
前記遊技領域のうち前記表示装置の前方領域以外の遊技領域の略全域を、前記中間装飾部材と前記前装飾部材とのいずれかで装飾することを特徴とする遊技機。
【請求項２】
前記中間装飾部材は、立体的に形成される複数種類の造形体と、該造形体を前面に配置して前記装飾領域を形成するとともに、前記表示装置を後面に配置して前記表示領域を形成する基本構成部材と、を備えることを特徴とする請求項１に記載の遊技機。
【請求項３】
前記造形体は、前記前装飾部材に近接または当接することを特徴とする請求項２記載の遊技機。
【手続補正２】
【補正対象書類名】明細書
【補正対象項目名】０００１
【補正方法】変更
【補正の内容】
【０００１】
本発明は、背部を視認可能な板状部材によって形成される遊技盤と、該遊技盤の前面に形成され、遊技球が打ち込まれて転動する遊技領域と、所定の演出表示を実行する表示装置と、を備える遊技機に関するものである。
【手続補正３】
【補正対象書類名】明細書
【補正対象項目名】０００８
【補正方法】変更
【補正の内容】
【０００８】
（解決手段１）
背部を視認可能な板状部材によって形成される遊技盤と、該遊技盤の前面に形成され、遊技球が打ち込まれて転動する遊技領域と、所定の演出表示を実行する表示装置と、を備える遊技機において、前記表示装置を遊技盤の後面側に遊技盤から所定間隔を空けて配置し、前記遊技盤の後面と前記表示装置との間隔内に設けられ、立体的な装飾が施される中間装飾部材と、前記遊技盤の前面側に設けられる前装飾部材と、を備え、前記中間装飾部材は、背部を視認可能に形成され、後面側に前記表示装置を配置する表示領域と、前記遊技領域を装飾する装飾領域と、を含み、前記遊技領域のうち前記表示装置の前方領域以外の遊技領域の略全域を、前記中間装飾部材と前記前装飾部材とのいずれかで装飾することを特徴とする遊技機。
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
ゲーム用アプリケーションプログラムの第１のバージョンと第２のバージョンとの間で当該ゲーム用アプリケーションプログラムに使用されるデータを引継ぎ、
当該データの引継ぎは、前記第１のバージョンを実行する第１のゲーム装置と、当該第１のゲーム装置と通信手段を介して接続された、前記第２のバージョンを実行する第２のゲーム装置とによって実行されるデータの引継ぎ方法であって、
前記第１のゲーム装置は、前記第２のゲーム装置に対して、前記データの交換要求と前記第１のバージョンのゲーム用アプリケーションプログラムであることを示す第１の識別信号とを発行する第１のステップと、
前記第２のゲーム装置は、前記第１のゲーム装置の前記交換要求と前記第１の識別信号とを受領すると、前記第２のゲーム装置のゲーム用アプリケーションプログラムのバージョンが前記第２のバージョンではなく前記第１のバージョンであることを示す第２の識別信号を生成して、当該第２の識別信号を前記交換要求の受領に対する返答通知と共に前記第１のゲーム装置に発行する第２のステップと、
前記第１のゲーム装置は、前記返答通知と前記第２の識別信号とを受けて、前記第２のゲーム装置で動作する前記ゲーム用アプリケーションプログラムが前記第１のバージョンのものであると判断して、前記データを前記第２のゲーム装置に発行する第３のステップと、
前記第１のゲーム装置は、前記第３のステップで前記第２のゲーム装置に対して発行した前記データを削除する第４のステップと、
前記第３のステップにおける発行を受けた前記第２のゲーム装置は、前記データの対応データを前記第１のゲーム装置に発行する第５のステップと、
を有するデータ引継ぎ方法。
【請求項２】
第１のバージョンのゲーム用アプリケーションプログラムを実行する第１のゲーム装置と通信手段を介して接続される第２のゲーム装置にデータの引継ぎを実現させる第２のバージョンのゲーム用アプリケーションプログラムであって、
前記第１のバージョンのゲーム用アプリケーションプログラムと前記第２のバージョンのゲーム用アプリケーションプログラムとの間で当該ゲーム用アプリケーションプログラムに使用されるデータを引継ぐときに、
前記第２のゲーム装置に、
前記第１のゲーム装置から前記データの交換要求と前記第１のバージョンのゲーム用アプリケーションプログラムであることを示す第１の識別信号とを受領すると、前記第２のゲーム装置のゲーム用アプリケーションプログラムのバージョンが前記第２のバージョンではなく前記第１のバージョンであることを示す第２の識別信号を生成させて、当該第２の識別信号を前記交換要求の受領に対する返答通知と共に前記第１のゲーム装置に発行させる機能と、
前記第１のゲーム装置が前記返答通知と前記第２の識別信号とを受けて、前記第２のゲーム装置で動作する前記ゲーム用アプリケーションプログラムが前記第１のバージョンのものであると判断し、前記データを前記第２のゲーム装置に発行するとともに、前記第２のゲーム装置に対して発行した前記データを削除すると、前記データの対応データを前記第１のゲーム装置に発行させる機能と、
を実現させる第２のバージョンのゲーム用アプリケーションプログラム。
【請求項３】
請求項２記載のプログラムが記録された、コンピュータが読み取り可能な記憶媒体。
【請求項４】
セーブデータを含む情報を記憶するための記憶部を有する複数のゲーム装置間で通信を行ってセーブデータの引継ぎを行うセーブデータ引継ぎ方法であって、
前記複数のゲーム装置のうち情報送信元のゲーム装置から情報送信先のゲーム装置にセーブデータを含む情報を送信する第１のステップと、
前記情報送信元のゲーム装置の記憶部から前記セーブデータを含む情報を削除する第２のステップと、
前記セーブデータを含む情報を受信した情報送信先のゲーム装置の記憶部に前記セーブデータを含む情報を記録する第３のステップと、
前記情報送信先のゲーム装置が前記第３のステップで受信したセーブデータを含む情報を前記情報送信元のゲーム装置に送信する第４のステップと、
を有することを特徴とするセーブデータ引継ぎ方法。
【請求項５】
前記第３のステップにおいて、前記情報送信先のゲーム装置は、前記情報送信元のゲーム装置から送信されたセーブデータを含む情報が既に記録されているときには、前記セーブデータを含む情報を新たに記録することなく、前記情報送信元のゲーム装置に対してセーブデータの引継ぎを拒否する旨の情報を送信することを特徴とする請求項４に記載のセーブデータ引継ぎ方法。
【請求項６】
所定のプログラムに従ってゲームを実行するとともにセーブデータを含む情報を記憶するための記憶部を有する複数のゲーム装置を通信手段を介して接続してなるゲームシステムにおいて、
前記複数のゲーム装置のうち情報送信元のゲーム装置から情報送信先のゲーム装置にセーブデータを含む情報を前記通信手段を介して送信する第１の手段と、
前記情報送信元のゲーム装置の記憶部から前記セーブデータを含む情報を削除する第２の手段と、
前記セーブデータを含む情報を受信した情報送信先のゲーム装置の記憶部に前記セーブデータを含む情報を記録する第３の手段と、
前記情報送信元のゲーム装置が前記第３の手段で受信したセーブデータを含む情報を前記通信手段を介して前記情報送信元のゲーム装置に送信する第４の手段と、
を備えることを特徴とするゲームシステム。
【請求項７】
前記第３の手段において、前記情報送信先のゲーム装置は、前記情報送信元のゲーム装置から送信されたセーブデータを含む情報が既に記録されているときには、前記セーブデータを含む情報を新たに記録することなく、情報送信元のゲーム装置に対してセーブデータの引継ぎを拒否する旨の情報を送信することを特徴とする請求項６に記載のゲームシステム。
【請求項８】
請求項４または請求項５に記載のセーブデータ引継ぎ方法をコンピュータに実現させるためのプログラム。
【請求項９】
請求項８記載のプログラムが記録された、コンピュータが読み取り可能な記録媒体。
【手続補正２】
【補正対象書類名】明細書
【補正対象項目名】００３０
【補正方法】変更
【補正の内容】
【００３０】
一方、ゲーム装置１００に搭載されているアプリケーションプログラムがバージョンアップされ、新たな外部記憶媒体に記録された場合は、既に外部記憶媒体８に記録されているアプリケーションプログラムは旧作のアプリケーションプログラムとなる。この場合、新作のアプリケーションプログラムが記録された外部記憶媒体をゲーム装置に装着してゲームで行うにも、旧作のアプリケーションプログラムで実行したゲームのセーブデータを引き継いでゲームを行うことは出来ない。このため、旧作のアプリケーションプログラムが格納された外部記憶媒体に記録されたセーブデータを、新作のアプリケーションプログラムが格納された外部記憶媒体に引継ぐ必要がある。
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
絵柄を可変表示する絵柄表示装置と、
遊技媒体を受け入れる受入手段と、
その受け入れた遊技媒体を検出する検出手段と、
前記絵柄の可変表示を開始させるべく操作される始動操作手段と、
前記絵柄の可変表示を停止させるべく操作される停止操作手段と、
前記絵柄の可変表示を制御する制御基板装置と、
当該制御基板装置に電源を供給する電源装置と
を備え、
前記制御基板装置は、
前記検出手段からの媒体検出信号、前記始動操作手段からの始動検出信号、及び前記停止操作手段からの停止検出信号を含めた各種信号を入力する入力手段と、
前記媒体検出信号の入力、及び前記始動検出信号の入力に基づいて、役の抽選を行う抽選手段と、
その抽選結果を含めた遊技情報を記憶するとともに、電源が供給されている間はその記憶した情報の保持を可能とする情報記憶手段と、
前記媒体検出信号の入力、及び前記始動検出信号の入力に基づいて、前記絵柄の可変表示を開始させるとともに、前記停止検出信号の入力に基づいて、前記絵柄の可変表示を停止させる可変表示制御手段と、
前記遊技情報が特定役当選の情報であって、停止後の停止絵柄が特定絵柄である場合に、遊技状態を遊技者に有利な特別遊技状態に移行させる状態移行手段とを備え、
前記情報記憶手段は、前記特定役当選の情報を記憶した場合、停止後の停止絵柄が前記特定絵柄となることで当該特定役当選の情報を消去する構成とした遊技機において、
前記可変表示手段による前記開始及び停止制御を行う上で前記入力手段が入力する各種信号の内の複数の特定信号線に対応させて電気経路を設けるとともに、
前記制御基板装置又は前記制御基板装置への基板装置側中継部に、前記特定信号線とそれに対応しかつ前記電気経路を形成する電気配線とをまとめて接続するためのコネクタ部材を、特定信号線と電気配線との組合せ毎に設け、
前記電気配線の全てを用いて一の信号供給経路を形成し、
前記信号供給経路の遮断中には前記情報記憶手段へ電源を供給しない構成としたことを特徴とする遊技機。
【請求項２】
前記開始及び停止制御を行う上で前記入力手段が入力する各種信号は、前記媒体検出信号、前記始動検出信号、及び前記停止検出信号であることを特徴とする請求項１に記載の遊技機。
【請求項３】
前記媒体検出信号、前記始動検出信号、又は前記停止検出信号を出力するための各特定信号線の全てに対応させて前記電気配線を設けたことを特徴とする請求項２に記載の遊技機。
【請求項４】
前記制御基板装置に対して前記信号供給経路を介して接続情報信号を出力する接続情報信号出力手段と、
前記電気配線として前記接続情報信号を伝達する接続情報信号線と、
前記接続情報信号が伝達されている場合のみ前記電源装置から前記情報記憶手段へ電源を供給する電源制御回路と、
を備えたことを特徴とする請求項１乃至３のいずれか一項に記載の遊技機。
【請求項５】
前記各コネクタ部材が接続される前記制御基板装置又は前記基板装置側中継部には、前記信号供給経路における上流側にあるコネクタ部材と下流側にあるコネクタ部材とを繋ぐ信号供給回路を形成し、
前記接続情報信号線の全て及び前記信号供給回路を用いて前記信号供給経路を形成したことを特徴とする請求項４に記載の遊技機。
【請求項６】
前記特定信号線を介して出力する信号を生成する信号生成手段を各特定信号線に対応させて備えるとともに、
信号生成手段とそれに対応するコネクタ部材との間にて前記特定信号線を介して出力する信号を中継するとともに、前記各接続情報信号線を介して供給する前記接続情報信号を中継する生成手段側中継部を前記各信号生成手段に対応させて備え、
前記下流側にあるコネクタ部材と前記生成手段側中継部との間には、前記接続情報信号線として、前記生成手段側中継部へ前記接続情報信号を送る第１接続情報信号線と、その送られた接続情報信号を前記制御基板装置又は前記基板装置側中継部へ戻す第２接続情報信号線とを設けたことを特徴とする請求項５に記載の遊技機。
【請求項７】
絵柄を可変表示する絵柄表示装置と、
遊技媒体を受け入れる受入手段と、
その受け入れた遊技媒体を検出する検出手段と、
前記絵柄の可変表示を開始させるべく操作される始動操作手段と、
前記絵柄の可変表示を停止させるべく操作される停止操作手段と、
前記絵柄の可変表示を制御する制御基板装置と、
当該制御基板装置に電源を供給する電源装置と
を備え、
前記制御基板装置は、
前記検出手段からの媒体検出信号、前記始動操作手段からの始動検出信号、及び前記停止操作手段からの停止検出信号を含めた各種信号を入力する入力手段と、
前記媒体検出信号の入力、及び前記始動検出信号の入力に基づいて、役の抽選を行う抽選手段と、
その抽選結果を含めた遊技情報を記憶するとともに、電源が供給されている間はその記憶した情報の保持を可能とする情報記憶手段と、
前記媒体検出信号の入力、及び前記始動検出信号の入力に基づいて、前記絵柄の可変表示を開始させるとともに、前記停止検出信号の入力に基づいて、前記絵柄の可変表示を停止させる可変表示制御手段と、
前記遊技情報が特定役当選の情報であって、停止後の停止絵柄が特定絵柄である場合に、遊技状態を遊技者に有利な特別遊技状態に移行させる状態移行手段とを備え、
前記情報記憶手段は、前記特定役当選の情報を記憶した場合、停止後の停止絵柄が前記特定絵柄となることで当該特定役当選の情報を消去する構成とした遊技機において、
前記可変表示手段による前記開始及び停止制御を行う上で前記入力手段が入力する各種信号の内の複数の特定信号線に対応させて電源線を設けるとともに、
前記制御基板装置又は前記制御基板装置への基板装置側中継部に、前記特定信号線とそれに対応する電源線とをまとめて接続するためのコネクタ部材を、特定信号線と電源線との組合せ毎に設け、
前記電源線の全てを用いて一の電源供給経路を形成し、
前記電源装置は、前記電源供給経路を介して前記情報記憶手段に電源を供給するようにしたことを特徴とする遊技機。
【請求項８】
前記各コネクタ部材が接続される前記制御基板装置又は前記基板装置側中継部には、前記電源供給経路における上流側にあるコネクタ部材と下流側にあるコネクタ部材とを繋ぐ電源供給回路を形成し、
前記電源線の全て及び前記電源供給回路を用いて前記電源供給経路を形成したことを特徴とする請求項７に記載の遊技機。
【請求項９】
前記特定信号線を介して出力する信号を生成する信号生成手段を各特定信号線に対応させて備えるとともに、
信号生成手段とそれに対応するコネクタ部材との間にて前記特定信号線を介して出力する信号を中継するとともに、前記各電源線を介して供給する電源を中継する生成手段側中継部を前記各信号生成手段に対応させて備え、
前記下流側にあるコネクタ部材と前記生成手段側中継部との間には、前記電源線として、前記生成手段側中継部へ電源を送る第１電源線と、その送られた電源を前記制御基板装置又は前記基板装置側中継部へ戻す第２電源線とを設けたことを特徴とする請求項８に記載の遊技機。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
遊技球を用いて遊技を行い、予め定めた払出条件が成立したことに基づいて賞球として遊技球を払い出す払出装置と、予め定めた演出条件が成立したことに基づいて演出を行う演出装置と、を備えたパチンコ機であって、
該パチンコ機には、
遊技の進行を制御する主制御基板と、
該主制御基板から送信される演出に関するコマンドに基づいて前記演出装置による演出を制御するサブ統合基板と、
前記主制御基板から送信される払い出しに関するコマンドに基づいて前記払出装置による遊技球の払い出し動作を制御する払出制御基板と、
を備え、
前記主制御基板は、
前記払い出しに関するコマンドが設定されると、当該払い出しに関するコマンドを前記払出制御基板に送信するコマンド送信制御手段と、
該コマンド送信制御手段が送信した前記払い出しに関するコマンドを前記払出制御基板が正常に受信した旨を伝えるＡＣＫ信号が予め定めた時間内に入力されているか否かを判定するＡＣＫ信号入力判定制御手段と、
前記予め定めた払出条件が成立したことに基づいて前記払出装置から賞球として払い出す遊技球の球数を指定する賞球コマンドを作成する賞球コマンド作成制御手段と、
該賞球コマンド作成制御手段が作成した前記賞球コマンドを前記払い出しに関するコマンドとして前記コマンド送信制御手段に設定する賞球コマンド送信設定制御手段と、
該賞球コマンド送信設定制御手段が設定した前記賞球コマンドを前記コマンド送信制御手段が前記払出制御基板に送信した際に、前記ＡＣＫ信号入力判定制御手段により前記ＡＣＫ信号が前記予め定めた時間内に入力されていないと判定されたときには、前記主制御基板と前記払出制御基板との基板間の接続状態を確認するチェックコマンドを作成するチェックコマンド作成制御手段と、
該チェックコマンド作成制御手段が作成した前記チェックコマンドを前記払い出しに関するコマンドとして前記コマンド送信制御手段に設定するチェックコマンド送信設定制御手段と、
該チェックコマンド送信設定制御手段が設定した前記チェックコマンドを前記コマンド送信制御手段が前記払出制御基板に送信した際に、前記ＡＣＫ信号入力判定制御手段により前記ＡＣＫ信号が前記予め定めた時間内に入力されていないと判定されたときには、前記主制御基板と前記払出制御基板との基板間の接続状態に不具合が生じている旨を伝える接続不具合コマンドを作成する接続不具合コマンド作成制御手段と、
該接続不具合コマンド作成制御手段が作成した前記接続不具合コマンドを前記演出に関するコマンドとして前記サブ統合基板に送信する演出コマンド送信制御手段と、
を備え、
前記払出制御基板は、
前記コマンド送信制御手段が送信した前記払い出しに関するコマンドを受信するコマンド受信制御手段と、
該コマンド受信制御手段が前記払い出しに関するコマンドを正常に受信した際に、前記ＡＣＫ信号を前記主制御基板に出力するＡＣＫ信号出力制御手段と、
を備え、
前記サブ統合基板は、
前記演出コマンド送信制御手段が送信した前記演出に関するコマンドを受信する演出コマンド受信制御手段と、
該演出コマンド受信制御手段が受信した前記演出に関するコマンドを解析する演出コマンド解析制御手段と、
該演出コマンド解析制御手段により解析された前記演出に関するコマンドが前記接続不具合コマンドである際に、前記主制御基板と前記払出制御基板との基板間の接続状態に不具合が生じている旨を伝える演出を、前記演出装置を制御して告知する接続不具合告知制御手段と、
を備えることを特徴とするパチンコ機。
【請求項２】
請求項１に記載のパチンコ機であって、
前記賞球コマンドは、当該パチンコ機が、プリペイドカードユニットと接続するタイプのＣＲ機として提供されたものであるか若しくは前記プリペイドカードユニットと接続しないタイプの現金機として提供されたものであるかを区別する情報を含み、
前記払い出しに関するコマンドは、１バイト（８ビット）の記憶容量を有する情報から構成され、該８ビットのうちの少なくとも隣接する２つの同一ビット番号の情報を異ならせることにより、前記チェックコマンド若しくは前記ＣＲ機を示す前記賞球コマンド若しくは前記現金機を示す前記賞球コマンドに区別し、
前記払出制御基板は、さらに、
前記コマンド受信制御手段が前記払い出しに関するコマンドを受信した際に、該払い出しに関するコマンドが、前記チェックコマンドであるか若しくは前記ＣＲ機を示す前記賞球コマンドであるか若しくは前記現金機を示す前記賞球コマンドであるかを、前記８ビットのうちの少なくとも隣接する２つの同一ビット番号の情報に基づいて判別するコマンド判別制御手段
を備えることを特徴とするパチンコ機。
【手続補正２】
【補正対象書類名】明細書
【補正対象項目名】００１９
【補正方法】変更
【補正の内容】
【００１９】
（解決手段２）
解決手段１に記載のパチンコ機であって、前記賞球コマンドは、当該パチンコ機が、プリペイドカードユニットと接続するタイプのＣＲ機として提供されたものであるか若しくは前記プリペイドカードユニットと接続しないタイプの現金機として提供されたものであるかを区別する情報を含み、前記払い出しに関するコマンドは、１バイト（８ビット）の記憶容量を有する情報から構成され、該８ビットのうちの少なくとも隣接する２つの同一ビット番号の情報を異ならせることにより、前記チェックコマンド若しくは前記ＣＲ機を示す前記賞球コマンド若しくは前記現金機を示す前記賞球コマンドに区別し、前記払出制御基板は、さらに、前記コマンド受信制御手段が前記払い出しに関するコマンドを受信した際に、該払い出しに関するコマンドが、前記チェックコマンドであるか若しくは前記ＣＲ機を示す前記賞球コマンドであるか若しくは前記現金機を示す前記賞球コマンドであるかを、前記８ビットのうちの少なくとも隣接する２つの同一ビット番号の情報に基づいて判別するコマンド判別制御手段を備えることを特徴とするパチンコ機。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
被検体にＸ線を照射するＸ線照射手段と、Ｘ線の照射領域を制限するＸ線可動絞りと、Ｘ線の入射量に応じて蓄積された電荷を画像データとして読み出すＸ線平面検出器とを備えたＸ線撮影装置であって、
前記Ｘ線可動絞りにより照射領域を制限されたＸ線がＸ線平面検出器に入射する有効画像領域を算出する有効画像領域算出手段を備え、
前記有効画像領域における前記電荷を読み出すことを特徴とするＸ線撮影装置。
【請求項２】
前記Ｘ線照射手段から一定の照射周期でＸ線を照射すると共に、一つの画像データを取得するのに要する単位周期である画像データ取得周期に基づいて画像データの取得を行う場合、
有効画像領域における画像データを選択的に読み出した場合の電荷読み出し時間を算出する読み出し時間算出手段と、
前記照射周期の1／n(nは2以上の整数)となるように画像データ取得周期を設定する第一画像データ取得周期設定手段とを備え、
前記照射周期と同一の画像データ取得周期を基準画像データ取得周期、Ｘ線平面検出器の全面に亘って電荷を読み出すのに要する時間を基準電荷読み出し時間、基準画像データ取得周期から基準電荷読み出し時間を減算した時間を基準電荷蓄積可能時間とした場合、前記画像データ取得周期は、基準電荷蓄積可能時間よりも短縮された電荷蓄積可能時間と読み出し時間算出手段で算出された電荷読み出し時間との合計で規定されることを特徴とする請求項１に記載のＸ線撮影装置。
【請求項３】
さらに、Ｘ線の照射時間と照射強度との相関で規定される被検体へのＸ線の照射線量を一定に保つように、照射時間を算出するＸ線照射時間算出手段を備え、
画像データ取得周期が照射周期の1／m(mは2以上n以下の整数)のときの画像データ取得周期を画像データ取得周期RDCm、そのときの読み出し時間算出手段で算出された電荷読み出し時間を読み出し時間RCTm、画像データ取得周期RDCmから読み出し時間RCTmを減算した時間を蓄積可能時間CSTmとし、画像データ取得周期が照射周期の1／（m＋1）のときの画像データ取得周期を画像データ取得周期RDCm+1、その画像データ取得周期RDCm+1における電荷蓄積可能時間と電荷読み出し時間をそれぞれ蓄積可能時間CSTm+1、読み出し時間RCTm+1とした場合、第一画像データ取得周期設定手段は、Ｘ線照射時間算出手段で算出された照射時間に基づいて、次式を満たす画像データ取得周期RDCm+1となるように画像データ取得周期を設定することを特徴とする請求項２に記載のＸ線撮影装置。
蓄積可能時間CSTm＞蓄積可能時間CSTm+1
読み出し時間RCTm＝読み出し時間RCTm+1
【請求項４】
前記照射周期に対応する時間内に、Ｘ線の照射が行われて画像データが取得される実画像データ取得周期と、Ｘ線の照射が行われないで画像データの取得がなされる空画像データ取得周期とが含まれ、
この空画像データ取得周期内に、Ｘ線平面検出器に蓄積される全ての電荷を排出するように構成したことを特徴とする請求項２または３に記載のＸ線撮影装置。
【請求項５】
前記Ｘ線照射手段から一定の照射周期でＸ線を照射可能にすると共に、一つの画像データを取得するのに要する単位周期である画像データ取得周期に基づいて画像データの取得を行う場合、
有効画像領域における画像データを選択的に読み出した場合の電荷読み出し時間を算出する読み出し時間算出手段と、
前記照射周期と同一となるように画像データ取得周期を設定する第二画像データ取得周期設定手段とを備え、
前記照射周期と同一の画像データ取得周期を基準画像データ取得周期、Ｘ線平面検出器の全面に亘って電荷を読み出すのに要する時間を基準電荷読み出し時間、基準画像データ取得周期から基準電荷読み出し時間を減算した時間を基準電荷蓄積可能時間とした場合、前記画像データ取得周期は、基準電荷蓄積可能時間よりも短縮された電荷蓄積可能時間と読み出し時間算出手段で算出された電荷読み出し時間とＸ線平面検出器に蓄積される全ての電荷を排出させる電荷排出時間との合計で規定されることを特徴とする請求項１に記載のＸ線撮影装置。
【手続補正２】
【補正対象書類名】明細書
【補正対象項目名】００１６
【補正方法】変更
【補正の内容】
【００１６】
本発明Ｘ線撮影装置は、被検体にＸ線を照射するＸ線照射手段と、Ｘ線の照射領域を制限するＸ線可動絞りと、Ｘ線の入射量に応じて蓄積された電荷を画像データとして読み出すＸ線平面検出器とを備えたＸ線撮影装置であって、前記Ｘ線可動絞りにより照射領域を制限されたＸ線がＸ線平面検出器に入射する有効画像領域を算出する有効画像領域算出手段を備え、前記有効画像領域における前記電荷を読み出すことを特徴とする。
上記本発明のＸ線撮影装置は、さらに大別して２つの構成に分けることができる。いずれの構成も、Ｘ線照射周期は一定で、FPDの読み出し領域を限定することで、電荷読み出し時間を短縮し、さらに電荷蓄積可能時間の短縮も行う。ただし、電荷読み出し時間の短縮と電荷蓄積可能時間の短縮との技術的関連性が両構成で異なる。まず、第一の構成は、一つの画像データを取得するのに要する単位周期（画像データ取得周期）を倍速化できるように、上記電荷読み出し時間の短縮と電荷蓄積可能時間の短縮を行う。これに対し、第二の構成は、上記単位周期は変えないが、その単位周期内にFPDの電荷を排出する時間帯を追加することで、上記電荷読み出し時間の短縮と電荷蓄積可能時間の短縮を行う。
【手続補正書】
【提出日】平成21年4月14日(2009.4.14)
【手続補正１】
【補正対象書類名】明細書
【補正対象項目名】００３４
【補正方法】変更
【補正の内容】
【００３４】
ワイヤガイド４２０の軸方向適部の外周には、環状凹部４２２が形成されていて、この環状凹部４２２がこのワイヤガイド４２０の外周と導電ピース２５０の内孔２５０ａとの間のすきまと連通する環状空間４２２ａを形成している。また、導電ピース２５０における上記環状空間４２２ａと対応する部位には、内外に貫通する複数の整流孔２５１が形成されている。この整流孔２５１の外側には、上記のオリフィスピース４３０が位置しているが、このオリフィスピース４３０の内周には、上記整流孔２５１と連通する環状溝４３１が形成されているとともに、この環状溝４３１の底部に内外に貫通する複数のオリフィス孔４３２が形成されている。このオリフィス孔４３２の外部開口は、ノズル３１０内空間に連通させられている。
【手続補正２】
【補正対象書類名】明細書
【補正対象項目名】００３５
【補正方法】変更
【補正の内容】
【００３５】
このように、上記導電パイプ２１０の内孔空間は、ワイヤガイド４２０と導電ピース２５０の内孔２５０ａとの間のすきま４２１、ワイヤガイド４２０の外周に形成した環状凹部４２２からなる環状空間４２２ａ、導電ピース２５０に設けた整流孔２５１、オリフィスピース４３０の内周に設けた環状溝４３１、および、オリフィスピース４３０に設けたオリフィス孔４３２を介してノズル３１０内空間に連通させられている。この実施形態では、上記オリフィス孔４３２が本願発明における第２の絞り部Ｂとして機能する。
【手続補正３】
【補正対象書類名】明細書
【補正対象項目名】００３６
【補正方法】変更
【補正の内容】
【００３６】
上記から明らかなように、この実施形態では、トーチボディ２００の基端側において、第１の絞り部Ａとしてのオリフィス孔２１２を介して導電パイプ２１０内のシールドガス供給路に導入されたシールドガスが、トーチボディ２００の先端側において、第２の絞り部Ｂとしてのオリフィス孔４３２を介してノズル３１０内空間に送出されることになる。したがって、第１の絞り部Ａと第２の絞り部Ｂとの少なくとも２段階において、圧力変動等が整えられた上でシールドガスがノズル３１０内空間に供給されるので、ノズル３１０先端から流出させられるシールドガスの層流長がより延長させられる。これにより、溶接部位のガスシールドをより安定して行うことができ、溶接用トーチ１００Ａを高速で移動させて行う溶接においても対応することができる。換言すれば、上記構成の溶接用トーチ１００Ａによれば、トーチボディ２００の内部を、第１の絞り部Ａと第２の絞り部Ｂとで区画されたガス整流チャンバとして有効に利用しつつ、ノズル３１０先端からのシールドガス流れの層流長を延長し、より安定した溶接作業を行うことができることとなるのである。
【手続補正４】
【補正対象書類名】明細書
【補正対象項目名】００３７
【補正方法】変更
【補正の内容】
【００３７】
この実施形態ではまた、第２の絞り部Ｂとしてのオリフィス孔４３２に加え、上記の整流孔２５１をも備えているから、ノズル３１０内空間へ向かわせるシールドガスの流れをより安定したものとすることができる。
【手続補正５】
【補正対象書類名】明細書
【補正対象項目名】００４１
【補正方法】変更
【補正の内容】
【００４１】
トーチボディ２００の基端外周には、環状の凹部２１１が形成され、この環状凹部２１１と、この環状凹部２１１を取り囲むようにして外嵌された短尺パイプ６１０とにより環状空間２１１ａが形成されている。上記環状凹部２１１の底部には、トーチボディ２００の内外に貫通する複数のオリフィス孔２１２が形成されており、上記短尺パイプ６１０には、シールドガス供給管６００が接続されている。これにより、シールドガス供給管６００からのシールドガスが、オリフィス孔２１２からなる第１の絞り部Ａを介してトーチボディ２００内部空間に導入される。
【手続補正６】
【補正対象書類名】明細書
【補正対象項目名】００４２
【補正方法】変更
【補正の内容】
【００４２】
給電チップ４００の外周には、ノズル３１０が配置されているが、上記給電チップ４００には、その内孔と外部とを連通させる複数のオリフィス孔４３２が形成されている。これにより、上記のように第１の絞り部Ａを介してトーチボディ２００内部に導入されたシールドガスは、上記オリフィス孔４３２からなる第２の絞り部Ｂを介してノズル３１０内空間に向けて送出される。
【手続補正７】
【補正対象書類名】明細書
【補正対象項目名】００４３
【補正方法】変更
【補正の内容】
【００４３】
この実施形態においても、トーチボディ２００の内部を、第１の絞り部Ａと第２の絞り部Ｂとで区画されたガス整流チャンバとして有効に利用しつつ、ノズル３１０先端からのシールドガス流れの層流長を延長し、より安定した溶接作業を行うことができるという、第１の実施形態について上述したのと同様の利点を享受することができる。
【手続補正８】
【補正対象書類名】図面
【補正対象項目名】図２
【補正方法】変更
【補正の内容】
【図２】
2007330990.tif 000001
【手続補正９】
【補正対象書類名】図面
【補正対象項目名】図３
【補正方法】変更
【補正の内容】
【図３】
2007330990.tif 000002
【手続補正１０】
【補正対象書類名】図面
【補正対象項目名】図４
【補正方法】変更
【補正の内容】
【図４】
2007330990.tif 000003
【手続補正書】
【提出日】平成20年12月9日(2008.12.9)
【手続補正１】
【補正対象書類名】特許請求の範囲
【補正対象項目名】請求項１６
【補正方法】変更
【補正の内容】
【請求項１６】
レーザ加工機におけるレーザ光を出力するノズルと、当該レーザ光によって加工される加工対象物との間のギャップを検出するギャップ検出方法であって、
（ａ）前記ギャップに依存するギャップ静電容量と、前記加工対象物に対するレーザ加工中に発生するプラズマに依存するプラズマインピーダンスとの合成インピーダンスの逆数である合成アドミタンスを求める工程と、
（ｂ）前記合成アドミタンスの虚部から、前記ギャップ静電容量と前記プラズマインピーダンスに含まれる静電容量成分との和である合成静電容量を求める工程と、
（ｃ）前記合成アドミタンスの実部から、前記プラズマインピーダンスに含まれる抵抗成分を求める工程と、
（ｄ）前記抵抗成分と前記静電容量成分との関係を示すモデルと、前記工程（ｃ）で求められた前記抵抗成分とを用いて、前記静電容量成分を求める工程と、
（ｅ）前記合成静電容量から前記静電容量成分を差し引いて、前記ギャップ静電容量を求める工程と、
（ｆ）前記ギャップ静電容量から前記ギャップを求める工程と
を備える、レーザ加工機用のギャップ検出方法。
【手続補正２】
【補正対象書類名】明細書
【補正対象項目名】０００８
【補正方法】変更
【補正の内容】
【０００８】
また、この発明のレーザ加工機用のギャップ検出方法は、レーザ加工機におけるレーザ光を出力するノズルと、当該レーザ光によって加工される加工対象物との間のギャップを検出するギャップ検出方法であって、（ａ）前記ギャップに依存するギャップ静電容量と、前記加工対象物に対するレーザ加工中に発生するプラズマに依存するプラズマインピーダンスとの合成インピーダンスの逆数である合成アドミタンスを求める工程と、（ｂ）前記合成アドミタンスの虚部から、前記ギャップ静電容量と前記プラズマインピーダンスに含まれる静電容量成分との和である合成静電容量を求める工程と、（ｃ）前記合成アドミタンスの実部から、前記プラズマインピーダンスに含まれる抵抗成分を求める工程と、（ｄ）前記抵抗成分と前記静電容量成分との関係を示すモデルと、前記工程（ｃ）で求められた前記抵抗成分とを用いて、前記静電容量成分を求める工程と、（ｅ）前記合成静電容量から前記静電容量成分を差し引いて、前記ギャップ静電容量を求める工程と、（ｆ）前記ギャップ静電容量から前記ギャップを求める工程とを備える。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
固体の洗浄媒体を飛翔させ洗浄対象物に衝突させることで付着物を除去する洗浄装置であって、
前記洗浄対象物及び前記洗浄媒体を収納する洗浄槽と、前記洗浄槽内の前記洗浄媒体を浮上させる洗浄媒体浮上拡散手段と、前記洗浄媒体浮上拡散手段によって浮上した前記洗浄媒体を前記洗浄対象物に向けて気流により加速させる洗浄媒体加速手段とを有することを特徴とする洗浄装置。
【請求項２】
請求項１記載の洗浄装置において、
前記洗浄媒体は薄片状であることを特徴とする洗浄装置。
【請求項３】
請求項１または２記載の洗浄装置において、
前記洗浄媒体浮上拡散手段は気流を前記洗浄槽の底面に向けて吹き付ける洗浄媒体浮上拡散ノズルを有することを特徴とする洗浄装置。
【請求項４】
請求項１または２記載の洗浄装置において、
前記洗浄槽の底面に吸気口を有し、前記洗浄媒体浮上拡散手段は前記洗浄槽内に上昇気流を発生させるための負圧供給手段を有することを特徴とする洗浄装置。
【請求項５】
請求項３記載の洗浄装置において、
前記洗浄媒体浮上拡散手段は洗浄動作中に前記洗浄媒体浮上拡散ノズルによる前記気流の吹き付け位置及び／または吹き付け方向を変化させるノズル位置姿勢変更手段を有することを特徴とする洗浄装置。
【請求項６】
請求項１ないし５の何れか１つに記載の洗浄装置において、
前記洗浄対象物を保持するワークホルダと、前記ワークホルダを回転または揺動させるワーク姿勢変更手段とを有することを特徴とする洗浄装置。
【請求項７】
請求項１ないし６の何れか１つに記載の洗浄装置において、
前記洗浄対象物から除去された付着物を前記洗浄槽から排出する排気口と、前記洗浄媒体が前記洗浄槽から排出されることを防止するメッシュとを有し、前記洗浄媒体が前記メッシュに接触する際に、前記洗浄媒体に付着した付着物を前記洗浄媒体から分離し、前記メッシュを通して前記排気口から前記洗浄槽の外部に排出することを特徴とする洗浄装置。
【請求項８】
請求項７記載の洗浄装置において、
前記メッシュに貼り付いた前記洗浄媒体を吹き払い前記洗浄槽内に拡散させる洗浄媒体拡散ノズルを有することを特徴とする洗浄装置。
【請求項９】
請求項７または８記載の洗浄装置において、
静電気力を弱めることにより前記洗浄媒体と前記付着物とを分離する除電手段を前記メッシュの近傍に有することを特徴とする洗浄装置。
【請求項１０】
洗浄媒体を飛翔させて洗浄対象物に衝突させることで付着物を除去する洗浄方法であって、
洗浄槽内の洗浄媒体を浮上させる工程と、浮上した前記洗浄媒体を前記洗浄対象物に向けて加速させる工程とを有することを特徴とする洗浄方法。
【手続補正２】
【補正対象書類名】明細書
【補正対象項目名】発明の名称
【補正方法】変更
【補正の内容】
【発明の名称】洗浄装置及び洗浄方法
【手続補正３】
【補正対象書類名】明細書
【補正対象項目名】０００７
【補正方法】変更
【補正の内容】
【０００７】
請求項１に記載の発明では、固体の洗浄媒体を飛翔させ洗浄対象物に衝突させることで付着物を除去する洗浄装置であって、前記洗浄対象物及び前記洗浄媒体を収納する洗浄槽と、前記洗浄槽内の前記洗浄媒体を浮上させる洗浄媒体浮上拡散手段と、前記洗浄媒体浮上拡散手段によって浮上した前記洗浄媒体を前記洗浄対象物に向けて気流により加速させる洗浄媒体加速手段とを有することを特徴とする。
請求項２に記載の発明では、請求項１に記載の洗浄装置において、前記洗浄媒体が薄片状であることを特徴とする。
請求項３に記載の発明では、請求項１または２に記載の洗浄装置において、前記洗浄媒体浮上拡散手段は気流を前記洗浄槽の底面に向けて吹き付ける洗浄媒体浮上拡散ノズルを有することを特徴とする。
【手続補正４】
【補正対象書類名】明細書
【補正対象項目名】０００８
【補正方法】変更
【補正の内容】
【０００８】
請求項４に記載の発明では、請求項１または２記載の洗浄装置において、前記洗浄槽の底面に吸気口を有し、前記洗浄媒体浮上拡散手段は前記洗浄槽内に上昇気流を発生させるための負圧供給手段を有することを特徴とする。
請求項５に記載の発明では、請求項３記載の洗浄装置において、前記洗浄媒体浮上拡散手段は洗浄動作中に前記洗浄媒体浮上拡散ノズルによる前記気流の吹き付け位置及び／または吹き付け方向を変化させるノズル位置姿勢変更手段を有することを特徴とする。
請求項６に記載の発明では、請求項１ないし５の何れか１つに記載の洗浄装置において、前記洗浄対象物を保持するワークホルダと、前記ワークホルダを回転または揺動させるワーク姿勢変更手段とを有することを特徴とする。
【手続補正５】
【補正対象書類名】明細書
【補正対象項目名】０００９
【補正方法】変更
【補正の内容】
【０００９】
請求項７に記載の発明では、請求項１ないし６の何れか１つに記載の洗浄装置において、前記洗浄対象物から除去された付着物を前記洗浄槽から排出する排気口と、前記洗浄媒体が前記洗浄槽から排出されることを防止するメッシュとを有し、前記洗浄媒体が前記メッシュに接触する際に、前記洗浄媒体に付着した付着物を前記洗浄媒体から分離し、前記メッシュを通して前記排気口から前記洗浄槽の外部に排出することを特徴とする。
請求項８に記載の発明では、請求項７記載の洗浄装置において、前記メッシュに貼り付いた前記洗浄媒体を吹き払い前記洗浄槽内に拡散させる洗浄媒体拡散ノズルを有することを特徴とする。
請求項９に記載の発明では、請求項７または８記載の洗浄装置において、静電気力を弱めることにより前記洗浄媒体と前記付着物とを分離する除電手段を前記メッシュの近傍に有することを特徴とする。
請求項１０に記載の発明では、洗浄媒体を飛翔させて洗浄対象物に衝突させることで付着物を除去する洗浄方法であって、洗浄槽内の洗浄媒体を浮上させる工程と、浮上した前記洗浄媒体を前記洗浄対象物に向けて加速させる工程とを有することを特徴とする。
【手続補正６】
【補正対象書類名】明細書
【補正対象項目名】００１０
【補正方法】削除
【補正の内容】